(57)【要約】【課題】ロック部材の周囲の省スペース化を図る。【解決手段】ロック部材１５は、ローディング待機状態のときロック位置に移動してディスク再生部３をロックし、ディスク再生状態のときロック解除位置に移動してディスク再生部３のロックを解除する。ロック部材１５に設置された吸着用磁石１６は、ロック部材１５がロック位置に移動する場合にフレーム２上のロック用磁石１７に吸着し、ロック部材１５がロック解除位置に移動する場合にフレーム２上のロック解除用磁石１８に吸着することにより、ロック部材１５の位置を保持する。【選択図】図４
2019075183.tif 000002
【特許請求の範囲】
【請求項１】
フレームと、
ディスクを再生するディスク再生部と、
前記ディスク再生部を前記フレームに連結する弾性部材と、
前記フレームに設置されたロック用磁石およびロック解除用磁石と、
前記ディスク再生部に前記ディスクが存在しない場合にロック位置に移動して前記ディスク再生部をロックし、前記ディスク再生部に前記ディスクが存在する場合にロック解除位置に移動して前記ディスク再生部のロックを解除するロック部材と、
前記ロック部材に設置され、前記ロック部材が前記ロック位置に移動する場合に前記ロック用磁石に吸着し、前記ロック部材が前記ロック解除位置に移動する場合に前記ロック解除用磁石に吸着する吸着用磁石とを備えるディスク装置。
【請求項２】
前記ロック部材を前記ロック位置に移動させる巻バネと、
前記巻バネの荷重に抗して前記ロック部材を前記ロック解除位置に移動させるモータとを備えることを特徴とする請求項１記載のディスク装置。
【請求項３】
前記ロック部材は、前記吸着用磁石が樹脂と一体化された一体成形品であることを特徴とする請求項１または請求項２記載のディスク装置。
【請求項４】
前記フレームは、前記ロック用磁石と前記ロック解除用磁石とが樹脂と一体化された一体成形品であることを特徴とする請求項１から請求項３のうちのいずれか１項記載のディスク装置。
【発明の詳細な説明】
【技術分野】
【０００１】
この発明は、車両等の移動体に搭載されるディスク装置に関するものである。
【背景技術】
【０００２】
従来のディスク装置は、ディスク装置本体と、当該本体に対してディスクの着脱動作を行う着脱位置と再生動作を行う再生位置との間を変位可能に設けられた摺動板と、摺動板を再生位置にロック保持するロック部材とを備える（例えば、特許文献１参照）。ロック部材は、スプリングの荷重および磁石の吸着部材に対する吸着力により、ロック部材による摺動板の再生位置におけるロック保持が行われる。
【先行技術文献】
【特許文献】
【０００３】
【特許文献１】特開２０００−１７３１４６号公報
【発明の概要】
【発明が解決しようとする課題】
【０００４】
車両等の振動する環境においてディスク装置が使用される場合、ロック部材が振動して周囲の部品に当たることにより異音が生じることを防止するために、ロック部材を保持する必要がある。特許文献１のロック部材は、摺動板の再生位置においては磁石の吸着力により保持され振動が抑制されるが、摺動板の着脱位置においては吸着力が作用しない。
【０００５】
特許文献１に係るディスク装置は、ロック部材を保持するために、磁石に加えてスプリングが使用されている。スプリングとして巻バネが使用される場合、巻バネの両端を引っ掛けるためのバネフックが必要となる。また、巻バネが使用される場合、ロック部材が変位することによって巻バネの伸び量が変化するため、一定の荷重をロック部材に作用させることが難しい。そのため、必要以上の荷重をもつ大型の巻バネが採用される。板バネが使用される場合、ロック部材を変位させる力を調整するために、板バネの全長が長くなる傾向にある。
【０００６】
このように、従来のディスク装置には、巻バネまたは板バネを設置するためにロック部材の周囲に大きなスペースを確保する必要があるという課題があった。
【０００７】
この発明は、上記のような課題を解決するためになされたもので、ロック部材の周囲の省スペース化を図ることを目的とする。
【課題を解決するための手段】
【０００８】
この発明に係るディスク装置は、フレームと、ディスクを再生するディスク再生部と、ディスク再生部をフレームに連結する弾性部材と、フレームに設置されたロック用磁石およびロック解除用磁石と、ディスク再生部にディスクが存在しない場合にロック位置に移動してディスク再生部をロックし、ディスク再生部にディスクが存在する場合にロック解除位置に移動してディスク再生部のロックを解除するロック部材と、ロック部材に設置され、ロック部材がロック位置に移動する場合にロック用磁石に吸着し、ロック部材がロック解除位置に移動する場合にロック解除用磁石に吸着する吸着用磁石とを備えるものである。
【発明の効果】
【０００９】
この発明によれば、ロック部材に設置された吸着用磁石が、ロック部材がロック位置に移動する場合にフレームのロック用磁石に吸着し、ロック部材がロック解除位置に移動する場合にフレームのロック解除用磁石に吸着するようにしたので、磁石のみを用いて、ロック部材をロック位置およびロック解除位置で保持でき、両位置での振動を抑制できる。そのため、従来のような巻バネまたは板バネを用いる必要がなく、ロック部材の周囲の省スペース化を図ることができる。
【図面の簡単な説明】
【００１０】
【図１】実施の形態１に係るディスク装置の構成例を示す斜視図である。
【図２】実施の形態１に係るディスク装置においてディスク再生部が取り外された状態を示す斜視図である。
【図３】実施の形態１に係るディスク装置におけるロック用磁石とロック解除用磁石の設置例を示す平面図である。
【図４】図４Ａは、実施の形態１におけるディスク再生部のロック状態を、図４Ｂは、実施の形態１におけるディスク再生部のロック解除状態を、示す平面図である。
【図５】図５Ａは、ロック位置にあるロック部材を、図５Ｂは、ロック解除位置にあるロック部材を、図４Ａに示される矢印Ｄの方向から見た矢視図である。
【図６】実施の形態１に係るディスク装置にローディングされたディスクを示す平面図である。
【図７】実施の形態１に係るディスク装置の理解を助けるための参考例を示す平面図である。
【図８】図７に示される参考例のロック部材を矢印Ｅの方向から見た矢視図である。
【図９】図９Ａは、凸部に乗り上げる前のロック部材を、図９Ｂは、凸部に乗り上げた状態のロック部材を、図７に示される矢印Ｆの方向から見た矢視図である。
【図１０】図１０Ａは、実施の形態１におけるモータの動作負荷を、図１０Ｂは、参考例におけるモータの動作負荷を、説明するグラフである。
【発明を実施するための形態】
【００１１】
実施の形態１．
図１は、実施の形態１に係るディスク装置１の構成例を示す斜視図である。図２は、実施の形態１に係るディスク装置１においてディスク再生部３が取り外された状態を示す斜視図である。図１に示されるディスク装置１は、ディスクがディスク再生部３に存在せず、ディスクがディスク再生部３にローディングされるのを待つローディング待機状態である。図２に示されるディスク装置１は、ディスクがディスク再生部３に存在し、ディスク再生部３がディスクを再生しているディスク再生状態である。
【００１２】
ディスク装置１は、フレーム２、ディスク再生部３、弾性部材７、ロック部材１５、吸着用磁石１６、ロック用磁石１７、およびロック解除用磁石１８等を備える。このディスク装置１は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、またはＢＤ（Ｂｌｕ−ｒａｙ  Ｄｉｓｃ；登録商標）等のディスクからデータを読み出して再生する機能を備えたものである。なお、ディスク装置１は、ディスクからデータを読み出す機能に加えて、ディスクにデータを書き込む機能を備えてもよい。
【００１３】
フレーム２は、略箱状であり、ディスクが挿入および排出されるディスク挿排部２ａを有する。フレーム２には、ディスクを再生するディスク再生部３が、複数の弾性部材７を介して連結されている。ディスク再生部３は、ディスクを回転させるターンテーブル４、ディスクをターンテーブル４上に保持するクランパ５、およびディスクのデータ読み出し等を行う光ピックアップ６等を含む。また、ディスク再生部３は、後述するロック部材１５の係合爪１５ｃが係合する係合溝３ａを有する。弾性部材７は、ダンパまたはバネ等である。
以下では、フレーム２のディスク挿排部２ａ側を前、ディスク再生部３側を後ろとする。
【００１４】
フレーム２のディスク挿排部２ａ付近には、搬送ローラ８と、搬送ローラ８等を駆動するモータ９とが設置されている。搬送ローラ８は、ディスク挿排部２ａに挿入されたディスクをディスク再生部３の方向へ搬送すると共に、ディスク再生部３のディスクをディスク挿排部２ａの方向へ搬送してディスク装置１外へ排出する。
【００１５】
フレーム２の左側面には、第１スライド部材１２が前後方向に移動可能に設置されている。第１スライド部材１２とフレーム２とは、巻バネ１１により連結されている。第１スライド部材１２には、図２に示される矢印Ａの方向へ、巻バネ１１の荷重が作用している。また、第１スライド部材１２は、減速歯車等を介してモータ９に接続されている。フレーム２の奥側面には、第２スライド部材１３が左右方向に移動可能に設置されている。第１スライド部材１２と第２スライド部材１３とは、リンク部材等によって連結されており、一方のスライド部材の移動に連動してもう一方のスライド部材も移動する。
【００１６】
フレーム２の右側には、ロック部材１５が設置されている。ロック部材１５には軸穴１５ａが形成されており、この軸穴１５ａがフレーム２に形成された回転軸２ｂに嵌る。ロック部材１５の一端部には突起１５ｂが形成されている。この突起１５ｂは、第２スライド部材１３に形成された穴１３ａに嵌る。ロック部材１５の他端部には、ディスク再生部３の係合溝３ａに係合する係合爪１５ｃが形成されている。ロック部材１５が回転軸２ｂを中心にして回転移動し係合爪１５ｃがディスク再生部３の係合溝３ａに係合した状態において、このロック部材１５の回転移動位置を「ロック位置」と呼ぶ。一方、ロック部材１５が回転軸２ｂを中心にして回転移動し係合爪１５ｃがディスク再生部３の係合溝３ａから外れた状態において、このロック部材１５の回転移動位置を「ロック解除位置」と呼ぶ。また、ロック部材１５には、吸着用磁石１６が設置されている。例えば、ロック部材１５が樹脂製である場合、このロック部材１５は、吸着用磁石１６が樹脂と一体化された一体成形品である。
【００１７】
図３は、実施の形態１に係るディスク装置１におけるロック用磁石１７とロック解除用磁石１８の設置例を示す平面図である。
フレーム２の右側底面には、回転軸２ｂを中心とした円周上に、ロック用磁石１７とロック解除用磁石１８とが設置されている。ロック用磁石１７は、ロック部材１５がロック位置に回転移動する場合に吸着用磁石１６を吸着する。吸着用磁石１６がロック用磁石１７に吸着されることにより、ロック部材１５がロック位置に保持され、ロック部材１５によるディスク再生部３のロック状態が保持される。ロック解除用磁石１８は、ロック部材１５がロック解除位置に回転移動する場合に吸着用磁石１６を吸着する。吸着用磁石１６がロック解除用磁石１８に吸着されることにより、ロック部材１５がロック解除位置に保持され、ロック部材１５によるディスク再生部３のロック解除状態が保持される。例えば、フレーム２が樹脂製である場合、このフレーム２は、ロック用磁石１７とロック解除用磁石１８とが樹脂と一体化された一体成形品である。
【００１８】
次に、実施の形態１におけるロック部材１５の動作を説明する。
実施の形態１では、ディスク装置１が車両等の移動体に搭載されるものとする。ディスクがディスク挿排部２ａに挿入されたときに、確実にディスクがターンテーブル４にローディングされるように、ローディング待機状態においてロック部材１５はディスク再生部３をロックする。これに対し、ディスク再生状態では、車両等の振動がディスク再生部３に伝わらないように、ロック部材１５がディスク再生部３のロックを解除し、弾性部材７がディスク再生部３を支える。弾性部材７によって支えられたディスク再生部３は、ある程度フレキシブルに動けるフローティング状態になる。ディスクがディスク再生部３からディスク挿排部２ａへ排出されるディスク排出時は、ロック部材１５がディスク再生部３をロックした状態で、ディスクが排出される。
【００１９】
図４Ａは、実施の形態１におけるディスク再生部３のロック状態を示す平面図である。図４Ｂは、実施の形態１におけるディスク再生部３のロック解除状態を示す平面図である。図５Ａは、ロック位置にあるロック部材１５を図４Ａに示される矢印Ｄの方向から見た矢視図である。図５Ｂは、ロック解除位置にあるロック部材１５を図４Ａに示される矢印Ｄの方向から見た矢視図である。
【００２０】
ディスク装置１がディスク再生状態からローディング待機状態に移行する場合、ディスク再生部３は、ロック解除状態からロック状態に移行する。移行時、第１スライド部材１２は、モータ９の動力および巻バネ１１の荷重により、図２に示される矢印Ａの方向へ移動する。第１スライド部材１２の移動に連動して、第２スライド部材１３は、矢印Ｂの方向へ移動する。第２スライド部材１３の移動に連動して、穴１３ａに嵌っているロック部材１５の突起１５ｂも矢印Ｂの方向に移動する。そのため、ロック部材１５の係合爪１５ｃは、回転軸２ｂを中心にして矢印Ｃの方向に回転移動し、ディスク再生部３の係合溝３ａに係合する。図４Ａに示されるように、係合爪１５ｃと係合溝３ａとが係合することにより、ディスク再生部３はロック状態となる。吸着用磁石１６は、ロック部材１５の回転移動に伴ってロック用磁石１７の方向へ移動し、ロック用磁石１７に吸着される。図５Ａに示されるように、吸着用磁石１６とロック用磁石１７との吸着力により、ディスク再生部３のロック状態が保持される。また、吸着用磁石１６とロック用磁石１７との吸着力により、ロック部材１５がロック位置に保持されるため、車両等の振動があってもロック部材１５はフレーム２に固定され続けるので、ロック部材１５がフレーム２等に接触と離反とを繰り返すことによって発生する異音が防止される。
【００２１】
ディスク装置１がローディング待機状態からディスク再生状態に移行する場合、ディスク再生部３は、ロック状態からロック解除状態に移行する。移行時、第１スライド部材１２は、モータ９の動力により、巻バネ１１の荷重に抗して図２に示される矢印Ａとは反対の方向へ移動する。第１スライド部材１２の移動に連動して、第２スライド部材１３は、矢印Ｂとは反対の方向へ移動する。第２スライド部材１３の移動に連動して、穴１３ａに嵌っているロック部材１５の突起１５ｂも矢印Ｂとは反対の方向に移動する。そのため、ロック部材１５の係合爪１５ｃは、回転軸２ｂを中心にして矢印Ｃとは反対の方向へ回転移動し、ディスク再生部３の係合溝３ａから遠ざかる。図４Ｂに示されるように、係合爪１５ｃが係合溝３ａから外れることにより、ディスク再生部３がロック解除状態となる。吸着用磁石１６は、ロック部材１５の回転移動に伴ってロック解除用磁石１８の方向へ移動し、ロック解除用磁石１８に吸着される。図５Ｂに示されるように、吸着用磁石１６とロック解除用磁石１８の吸着力により、ディスク再生部３のロック解除状態が保持される。また、吸着用磁石１６とロック解除用磁石１８との吸着力により、ロック部材１５がロック解除位置に保持されるため、車両等の振動があってもロック部材１５はフレーム２に固定され続けるので、ロック部材１５がフレーム２等に接触と離反とを繰り返すことによって発生する異音が防止される。
【００２２】
次に、実施の形態１に係るディスク装置１が奏する効果の１つである、省スペースについて説明する。
図６は、実施の形態１に係るディスク装置１にローディングされたディスク２０を示す平面図である。図６の破線は、ディスク再生部３のターンテーブル４にローディングされてクランパ５にクランプされた状態のディスク２０の外形を示す。ロック部材１５は、ディスク２０の下に配置されており、ディスク２０に接触しないスペース内に収まる必要がある。
【００２３】
図７は、実施の形態１に係るディスク装置１の理解を助けるための参考例を示す平面図である。図８は、図７に示される参考例のロック部材１５Ａを矢印Ｅの方向から見た矢視図である。図９Ａは、凸部１０２に乗り上げる前のロック部材１５Ａを図７に示される矢印Ｆの方向から見た矢視図である。図９Ｂは、凸部１０２に乗り上げた状態のロック部材１５Ａを図７に示される矢印Ｆの方向から見た矢視図である。参考例のディスク装置１は、吸着用磁石１６、ロック用磁石１７、およびロック解除用磁石１８を備えていない。また、参考例のディスク装置１において、ロック部材１５Ａ、巻バネ１００、板バネ１０１、および凸部１０２以外の構成は、実施の形態１のディスク装置１の構成と同じである。
【００２４】
参考例のロック部材１５Ａは、巻バネ１００または板バネ１０１の少なくとも一方を備える。巻バネ１００の一方のバネフック１００ａはロック部材１５Ａに保持され、もう一方のバネフック１００ｂはフレーム２に保持されている。巻バネ１００は、荷重により、ロック部材１５Ａをロック位置の方向へ引っ張り、ロック位置に保持するものである。板バネ１０１は、フレーム２に形成された凸部１０２に乗り上げてたわむことによって生じる荷重により、ロック部材１５Ａをロック位置またはロック解除位置の少なくとも一方に保持するためのものである。フレーム２において、ロック用磁石１７の位置に凸部１０２が形成された場合、ロック部材１５Ａはロック位置に保持され、ロック解除用磁石１８の位置に凸部１０２が形成された場合、ロック部材１５Ａはロック解除位置に保持される。
【００２５】
巻バネ１００は、ロック部材１５Ａのディスク２０側の上面に設置されるため、ロック部材１５Ａの面に対して垂直な方向において大きなスペースを必要とする。そのため、ディスク２０の外形よりも外側に設置せざるを得ない。巻バネ１００がディスク２０の外形よりも外側に設置された場合、ロック部材１５Ａに作用する荷重の方向に制約がある。参考例の場合、ロック部材１５Ａが回転移動することによって巻バネ１００の伸び量が変化するため、一定の荷重をロック部材１５Ａに作用させることが難しい。
【００２６】
板バネ１０１は、固定点から力点までの長さαが短いと、たわみ量の微小な差が荷重に大きく影響してしまうため、固定点から力点までの長さαは長い必要がある。そのため、板バネ１０１は、ロック部材１５Ａの面に対して垂直な方向においては比較的スペースを取らないものの、平行な方向においては大きなスペースを必要とする。
【００２７】
実施の形態１のようにロック部材１５の保持に磁石が使用される場合、吸着用磁石１６は樹脂製のロック部材１５にインサートされ、かつ、ロック用磁石１７とロック解除用磁石１８と樹脂製のフレーム２にインサートされるだけでよい。そのため、これらの磁石の設置に要するスペースは、巻バネ１００の設置に要するスペースに比べて小さい。なお、吸着用磁石１６、ロック用磁石１７、およびロック解除用磁石１８の大きさは、ロック部材１５の位置保持に必要な保持力および磁石の性能等に基づいて決定される。ディスク装置１の用途であれば、巻バネ１００および板バネ１０１よりも小さいサイズの磁石を使用可能である。
【００２８】
次に、実施の形態１に係るディスク装置１が奏する効果の１つである、動作負荷の低減について説明する。ここで言う動作負荷は、ロック部材１５を動作させるモータ９の負荷である。
【００２９】
図１０Ａは、実施の形態１におけるモータ９の動作負荷を説明するグラフである。グラフの縦軸は、ロック部材１５がロック位置からロック解除位置へ回転移動する際のモータ９の負荷であり、横軸はロック部材１５の回転移動量である。実施の形態１のディスク装置１は、ローディング待機状態からディスク再生状態に移行する際、つまり、ロック状態からロック解除状態に移行する際、モータ９が巻バネ１１の荷重に抗してロック部材１５をロック解除位置へ回転移動させる構成である。そのため、ロック部材１５がロック位置からロック解除位置へと回転移動するにつれ、モータ９に作用する巻バネ１１の荷重が大きくなる。さらに、ロック部材１５がロック位置から移動する際、吸着用磁石１６をロック用磁石１７から引き離すための力が、巻バネ１１の荷重に加わる。吸着用磁石１６をロック用磁石１７から引き離すための力は、図１０Ａに上向きの矢印で示される。一方、ロック部材１５がロック解除位置へ移動する際、吸着用磁石１６はロック解除用磁石１８に吸着されるため、吸着用磁石１６とロック解除用磁石１８との吸着力が作用する分モータ９の負荷が減る。ロック解除用磁石１８の吸着力は、図１０Ａに下向きの矢印で示される。
【００３０】
図１０Ｂは、参考例におけるモータ９の動作負荷を説明するグラフである。ここでは、板バネ１０１と、ロック位置に形成された凸部１０２と、ロック解除位置に形成された凸部１０２とにより、参考例のロック部材１５Ａがロック位置およびロック解除位置に保持される構成を想定する。参考例においても、ロック部材１５Ａがロック位置からロック解除位置へと回転移動するにつれ、モータ９に作用する巻バネ１１の荷重が大きくなる。さらに、ロック部材１５Ａがロック位置から移動する際、凸部１０２に乗り上げた板バネ１０１を凸部１０２から降ろして移動させるための力が、巻バネ１１の荷重に加わる。板バネ１０１を移動させるための力は、図１０Ｂに上向きの短い矢印で示される。また、ロック部材１５Ａがロック解除位置へ移動する際、板バネ１０１を凸部１０２に乗り上げさせるための力が、巻バネ１１の荷重に加わる。板バネ１０１を凸部１０２に乗り上げさせるための力は、凸部１０２から降ろすための力より大きく、図１０Ｂに上向きの長い矢印で示される。
【００３１】
図１０Ａと図１０Ｂとを比較すれば明らかなように、モータ９がロック部材１５をロック解除位置へ回転移動させるために必要な出力は、板バネ１０１を使用する場合に比べて、吸着用磁石１６を使用する場合のほうが小さい。そのため、実施の形態１では、参考例に比べて出力の小さいモータ９を使用できる。
【００３２】
以上のように、実施の形態１に係るディスク装置１は、フレーム２と、ディスク再生部３と、弾性部材７と、ロック用磁石１７と、ロック解除用磁石１８と、ロック部材１５と、吸着用磁石１６とを備える。弾性部材７は、ディスク再生部３をフレーム２に連結する。ロック部材１５は、ディスク再生部３にディスク２０が存在しないローディング待機状態では、ロック位置に移動してディスク再生部３をロックする。一方、ロック部材１５は、ディスク再生部３にディスク２０が存在するディスク再生状態では、ロック解除位置に移動してディスク再生部３のロックを解除する。ロック部材１５に設置された吸着用磁石１６は、ロック部材１５がロック位置に移動する場合にロック用磁石１７に吸着し、ロック部材１５がロック解除位置に移動する場合にロック解除用磁石１８に吸着する。吸着用磁石１６、ロック用磁石１７、およびロック解除用磁石１８は、ロック部材１５をロック位置およびロック解除位置で保持でき、両位置での振動を抑制できる。そのため、従来のような板バネ１０１または巻バネ１００を用いる必要がなく、ロック部材１５の周囲の省スペース化を図ることができる。
【００３３】
また、実施の形態１に係るディスク装置１は、ロック部材１５をロック位置に移動させる巻バネ１１と、巻バネ１１の荷重に抗してロック部材１５をロック解除位置に移動させるモータ９とを備える。この構成において吸着用磁石１６、ロック用磁石１７、およびロック解除用磁石１８が使用されることにより、従来のような板バネ１０１が使用される場合に比べて、モータ９の動作負荷低減を図ることができる。
なお、実施の形態１の巻バネ１１は、従来の巻バネ１００のようにロック部材１５に設置する必要がないため、ロック部材１５の周囲における設置スペースは不要である。
【００３４】
また、実施の形態１のロック部材１５は、吸着用磁石１６が樹脂と一体化された一体成形品であるため、吸着用磁石１６をロック部材１５に設置するための部材が必要なく、さらなる省スペース化を図ることができる。
【００３５】
また、実施の形態１のフレーム２は、ロック用磁石１７とロック解除用磁石１８とが樹脂と一体化された一体成形品であるため、ロック用磁石１７とロック解除用磁石１８とをフレーム２に設置するための部材が必要なく、さらなる省スペース化を図ることができる。
【００３６】
なお、本発明はその発明の範囲内において、実施の形態の任意の構成要素の変形、または実施の形態の任意の構成要素の省略が可能である。
【符号の説明】
【００３７】
１  ディスク装置、２  フレーム、２ａ  ディスク挿排部、２ｂ  回転軸、３  ディスク再生部、３ａ  係合溝、４  ターンテーブル、５  クランパ、６  光ピックアップ、７  弾性部材、８  搬送ローラ、９  モータ、１１  巻バネ、１２  第１スライド部材、１３  第２スライド部材、１３ａ  穴、１５，１５Ａ  ロック部材、１５ａ  軸穴、１５ｂ  突起、１５ｃ  係合爪、１６  吸着用磁石、１７  ロック用磁石、１８  ロック解除用磁石、２０  ディスク、１００  巻バネ、１００ａ，１００ｂ  バネフック、１０１  板バネ、１０２  凸部。
【図１】
2019075183.tif 000003
【図２】
2019075183.tif 000004
【図３】
2019075183.tif 000005
【図４】
2019075183.tif 000006
【図５】
2019075183.tif 000007
【図６】
2019075183.tif 000008
【図７】
2019075183.tif 000009
【図８】
2019075183.tif 000010
【図９】
2019075183.tif 000011
【図１０】
2019075183.tif 000012